(57)【要約】【課題】従来のブリスターストローは、フランジ部が、吸込口近辺まで成形されて在り、ストローの吸込口を唇で、くわえると、フランジ部が口の中に入り込むことから、違和感があり、また、唇を損傷しかねない危険性があった。【解決手段】従来のブリスターストローの吸込口近辺の所望箇所の水路部を、軸方向任意長さの先細り略漏斗形状の水路部に形成し、更に該水路部内に挿入可能なやや小さめな外径で両端が外部に開口した別体の所望長さの略筒型形状の内管を、先端部が挟持密着されるまで圧入して、該ブリスターストロー本体と該内管を一体的に固定し、挿入されずに、外部に残った該内管の後端の開口部を新たな吸込口として用いる吸込口付きブリスターストローを構成した。これにより違和感が少なく安全度の高い吸込口を提供することが可能である。【選択図】  図１
2006102464.tif 000002
【特許請求の範囲】
【請求項１】
周囲にフランジ部を有し、上側本体と下側蓋体のどちらか少なくとも１方を、外側に向け任意外形形状に膨出させて開口部を形成し、上側本体と下側蓋体のそれぞれ対面する位置で重ね合わせ、重なり合ったフランジ部どうしを溶着させて該開口部を封止し、内部空間が連通した空間部より成るブリスタ成形体のそれぞれ任意の箇所に少なくとも１個の外部に開口した吸上口と少なくとも１個の外部に開口した吸込口を同時に設けて、該内部空間を外部と連通させているとともに、該内部空間を液体の通過する水路として用いる場合のブリスターストローにおいて、該ブリスターストローの吸込口近辺における所望箇所の水路部を、軸方向任意長さの先細り略漏斗形状の水路部に形成し、さらに該吸込口から該水路部内に挿入可能なやや小さめな外径で両端が外部に開口して形成された別体の所望長さの略筒型形状の内管を、該吸込口から該水路部内に嵌入する際に、該内管の先端部が該略漏斗形状の水路部壁に押し当たり挟持密着されるまで圧入して、該ブリスターストロー本体と該内管を一体的に固定し、挿入されずに該吸込口の外部に残った該内管の後端の開口部を新たな吸込口として用いる吸込口付きブリスターストロー
【請求項２】
略筒型形状の該内管の挿込される側の先端部近辺の形状が、ブリスターストロー本体の略漏斗形状の水路部に似せて形成した場合か、または該内管の先端部が鋭角に切断されて形成されている場合の少なくともいずれかの場合の請求項１記載の吸込口付きブリスターストロー
【請求項３】
挿入されずに外部に残った該内管の所望箇所に、蛇腹形状の可撓部が形成されている場合の請求項１又は２記載の吸込口付きブリスターストロー
【発明の詳細な説明】
【技術分野】
【０００１】  この発明は、ブリスター包装技術を応用したストローの吸込口の改良に関する。
【背景技術】
【０００２】  従来のブリスターストローはその製法上の特性ゆえに、フランジ部が、吸込口近辺まで成形されて在った。【０００３】
【特許文献１】特開  ２００４−０８１８０４号公報
【発明の開示】
【発明が解決しようとする課題】
【０００４】  しかしながら、以上の技術によれば、飲み物を飲料するときに、ストローの吸込口を唇で、くわえると、フランジ部が口の中に入り込むことから、従来の筒型ストローと比べて、違和感があり、また、フランジ部が硬質の素材の時には唇を損傷しかねない危険性があった。そこで，この発明は、従来の筒型ストローと比べて、違和感が少なく、飲料時に唇を損傷する危険性を少なくしたブリスターストローを提供することを課題とする。
【課題を解決するための手段】
【０００５】  上記課題を解決するため、請求項１記載の発明は、周囲にフランジ部を有し、上側本体と下側蓋体のどちらか少なくとも１方を、外側に向け任意外形形状に膨出させて開口部を形成し、上側本体と下側蓋体のそれぞれ対面する位置で重ね合わせ、重なり合ったフランジ部どうしを溶着させて該開口部を封止し、内部空間が連通した空間部より成るブリスタ成形体のそれぞれ任意の箇所に少なくとも１個の外部に開口した吸上口と少なくとも１個の外部に開口した吸込口を同時に設けて、該内部空間を外部と連通させているとともに、該内部空間を液体の通過する水路として用いる場合のブリスターストローにおいて、該ブリスターストローの吸込口近辺における所望箇所の水路部を、軸方向任意長さの先細り略漏斗形状の水路部に形成し、さらに該吸込口から該水路部内に挿入可能なやや小さめな外径で両端が外部に開口して形成された別体の所望長さの略筒型形状の内管を、該吸込口から該水路部内に嵌入する際に、該内管の先端部が該略漏斗形状の水路部壁に押し当たり挟持密着されるまで圧入して、該ブリスターストロー本体と該内管を一体的に固定し、挿入されずに該吸込口の外部に残った該内管の後端の開口部を新たな吸込口として用いる吸込口付きブリスターストローとなっている。【０００６】  請求項２記載の発明は、略筒型形状の該内管の挿込される側の先端部近辺の形状が、ブリスターストロー本体の略漏斗形状の水路部に似せて形成した場合か、または該内管の先端部が鋭角に切断されて形成されている場合の少なくともいずれかの場合となっている。【０００７】  請求項３記載の発明は、  挿込されずに、外部に残った該内管の所望箇所に、蛇腹形状の可撓部が形成されている場合となっている
【発明の効果】
【０００８】  請求項１記載の発明によれば、該ブリスターストローの吸込口近辺の所望箇所の水路部を、軸方向任意長さの先細りの略漏斗形状の水路部に形成してあり、該吸込口から該水路部内に挿入可能なやや小さめな外径の別体の内管は、両端が外部に開口して形成され所望長さの略筒型形状になっている。それぞれの横断面形状が異なるが、内管を外側ブリスターストロー本体部分の水路部内に嵌入する際に、圧入される事で、互いに相手の形状に拘束され、圧力を受けて、互いに変形させられる。該内管の先端部が略漏斗形状の水路部に接触して圧入されるに従って、略漏斗形状の水路部は、略筒形状に変形させられ、逆に、内側の略筒形状の内管は、略漏斗形状に変形させられて、互いに似た形状になってくる。また、変形する事で、双方の樹脂弾性により、スプリングバックして密着し、双方の間の空気の逃げる隙間が小さくなって充分にシール性が高められ、さらに、略漏斗形状の水路部が比較的鋭角に形成されていれば、楔を打ち込んだように一体的に固定される。【０００９】  請求項２記載の発明によれば、略筒型形状の内管の挿し込まれる側の先端部近辺の形状が、ブリスターストロー本体の略漏斗形状の水路部に似せて形成されている事により、嵌入時に外側水路部の略漏斗形状の水路部と内管の略漏斗形状の水路部の壁らは、重合され密着する面積が増して隙間が生じ難く、より一体的に固定され易い。また内管の先端部が鋭角に切断されて形成されていれば、吸込口から挿入し易い。【００１０】  請求項３記載の発明によれば、挿込されずに、外部に残った該内管の所望箇所に、蛇腹形状の可撓部が形成されている事により、所望方向に曲げ易く、使い勝ってが良くなっている。
【発明の実施するための最良の形態】
【００１１】  この発明の一実施形態を図１〜図４を用いて説明する。図１はブリスターストロー本体１と、挿入前の別体の内管２との組み立て前の分解斜視図である。図２は、内管２を挿入して組み立てた場合の吸込口３周辺の拡大部分断面図である。図３は、略漏斗形状の水路部４の横断面図であり、図４は、内管２の横断面図である。
【００１２】  図１において、ブリスターストロー本体１は上側本体５と下側蓋体６のうち、上側本体５のみを外側に向けて膨出させた構成になっていて、吸込口３周辺は、上に凸の略かまぼこ型の上側本体５と、フラットな下側蓋体６、そして、溶着してブリスターストローを一体にするフランジ部７から成っている。
【００１３】  吸込口３の下方に長手方向先細りの略漏斗形状の水路部４を、その前後の膨出成形された水路部８とそれぞれの内部空間９が連通するよう一体に形成してある。別体の略筒型形状の内管２は、押出成型などによるフランジ部を持たない円筒形状に形成されていて、略かまぼこ型断面形状の吸込口３から中空の水路部８内に挿入可能な外径となっている。
【００１４】  図２は、内管２を吸込口３から挿入方向１０に沿って水路部８内に挿入し、断面が次第に縮小する略漏斗形状の水路部４の壁部分に、内管の先端部１１が挟持密着されるまで圧入し、ブリスターストロー本体１と内管２を一体的に固定し組み立ててあり、挿入されずに外部に残っている内管２の後端を新たな吸込口１２としてある。
【００１５】  内管２の先端部１１は、略漏斗形状の水路部４の壁部分に拘束されながら圧入されるので、略漏斗形状に変形させられ、また逆に略漏斗形状の水路部４の壁部分は、押し込まれてくる円筒形状の内管２による圧力で略筒状に変形させられるが、また、双方の樹脂弾性により、スプリングバックして密着し双方の間の空気の逃げる隙間が塞がれるようになり、さらに略漏斗形状の水路部４が比較的鋭角に形成されていれば、楔を打ち込んだように挿入される事になり、一体的に固定される。
【００１６】  図３は、略漏斗形状の水路部４の横断面図であり、成形金型からの抜き勾配を考慮した略かまぼこ型の断面形状になっている場合である。図４は内管２の先端部１１の横断面図である。
【００１７】  図５は二実施形態の場合の略漏斗形状の水路部４の横断面図である。図５においては、略漏斗形状の水路部４の横断面が中空円に近い形状になっていて、膨出形成されたスカート部１３が逆の抜き勾配に形成されている場合である。略漏斗形状の水路部４の横断面形状が中空円に近い場合には、円筒形状の内管２を挿入すると、互いに似た形状であり、変形量が少ない事から密着し易く、隙間が生じ難く、また一体に固定され易い。
【００１８】  図６を用いては三実施形態の場合を説明する。図６は挿入前の内管２とブリスタストロー本体１の吸込口３周辺における拡大分解斜視図であるが、内管２の先端部１４を、ブリスタストロー本体１の略漏斗形状の水路部４に似せて成型してある。先端部１４を、略漏斗形状の水路部４に似せる事で、先端部１４が圧入時に、略漏斗形状の水路部４と密着する面積が増して隙間が生じ難く、更に楔を打ち込んだように一体的に固定され易い。
【００１９】  図７を用いて四実施形態を説明する。図７は内管の先端部１５が鋭角に切断されて形成されている場合であり、先端部１５を鋭角にすることで挿入しやすくなる。そして、吸込口３から水路部８内に挿入されずに外部に残っている内管２の所望位置に、長手方向所望長さの蛇腹部１６を形成してある。蛇腹部１６を形成する事で、任意方向への可撓が可能になり使い勝手が良くなる。
【図面の簡単な説明】
【００２０】
【図１】組み立て前の分解斜視図
【図２】吸込口３周辺の拡大部分断面図
【図３】略漏斗形状の水路部４の横断面図
【図４】内管２の横断面図
【図５】略漏斗形状の水路部７の２例の横断面図
【図６】拡大分解斜視図
【図７】鋭角の先端部と蛇腹部を形成した内管２の斜視図
【符号の説明】
【００２１】  １    ブリスターストロー本体
２    内管
３    吸込口
４    略漏斗形状の水路部
５    上側本体
６    下側蓋体
７    フランジ部
８    水路部
９    内部空間
１０  挿入方向
１１  先端部
１２  新たな吸込口
１３  スカート部
１４  略漏斗形状の先端部
１５  鋭角に切断された先端部
１６  蛇腹部
【図１】
2006102464.tif 000003
【図２】
2006102464.tif 000004
【図３】
2006102464.tif 000005
【図４】
2006102464.tif 000006
【図５】
2006102464.tif 000007
【図６】
2006102464.tif 000008
【図７】
2006102464.tif 000009